(57)【特許請求の範囲】
【請求項１】
筒状のケースと、
一端がケースの内部に位置し、他端がケース先端の開口部からケース外部に突き出るように設けられ、該他端付近に位置するブラシを振動させる振動体と、
を備える電動歯ブラシであって、
前記振動体の前記一端側には振動源が設けられており、かつ該振動体は該振動体の長手方向の中心よりも振動源側に偏った位置で、その外周面が支持されており、
前記ケースの内部には、前記振動源の振動がケースに伝わるのを抑制する振動減衰構造が設けられていることを特徴とする電動歯ブラシ。
【請求項２】
筒状のケースと、
一端がケースの内部に位置し、他端がケース先端の開口部からケース外部に突き出るように設けられ、該他端付近に位置するブラシを振動させる振動体と、
を備える電動歯ブラシにおいて、
前記振動体の前記一端側には振動源が設けられており、かつ該振動体は該振動体の長手方向の中心よりも振動源側に偏った位置で、その外周面が支持されている電動歯ブラシであって、
軸本体、及びこの軸本体に固定され、重心が軸心からずれた位置に設けられた錘を有する偏心軸と、
該偏心軸を回転させる駆動源と、
を備えると共に、
前記振動体は、内部が中空の部材により構成され、かつ中空内部の前記他端側の先端付近に軸受が設けられており、前記偏心軸は該軸受により支持されていることを特徴とする電動歯ブラシ。
【請求項３】
筒状のケースと、
一端がケースの内部に位置し、他端がケース先端の開口部からケース外部に突き出るように設けられ、該他端付近に位置するブラシを振動させる振動体と、
を備える電動歯ブラシであって、
前記振動体の前記一端側には振動源が設けられており、かつ該振動体は該振動体の長手方向の中心よりも振動源側に偏った位置で、その外周面が支持されており、該支持されている部分を中心として旋回運動を行うように構成されていることを特徴とする電動歯ブラシ。
【請求項４】
前記振動源は、前記振動体の前記一端側に固定されたモータと、該モータの回転軸に取り付けられ、該回転軸の回転中心からずれた位置に重心を有する錘とから構成されることを特徴とする請求項１，２または３に記載の電動歯ブラシ。
【請求項５】
前記錘は、前記モータの前記一端側に取り付けられていることを特徴とする請求項４に記載の電動歯ブラシ。
【請求項６】
前記ケースの内部には、前記振動体の振動を許容しつつ該振動体の前記一端側への移動を規制する位置規制部が設けられていることを特徴とする請求項１〜５のいずれか一つに記載の電動歯ブラシ。
【請求項７】
前記ケースの内部には、前記振動源の振動がケースに伝わるのを抑制する振動減衰構造が設けられていることを特徴とする請求項２〜６のいずれか一つに記載の電動歯ブラシ。
【請求項８】
軸本体、及びこの軸本体に固定され、重心が軸心からずれた位置に設けられた錘を有する偏心軸と、
該偏心軸を回転させる駆動源と、
を備えると共に、
前記振動体は、内部が中空の部材により構成され、かつ中空内部の前記他端側の先端付近に軸受が設けられており、前記偏心軸は該軸受により支持されていることを特徴とする請求項１，３，４，５，６、または７に記載の電動歯ブラシ。
【請求項９】
前記偏心軸の錘の重心は、前記振動源を構成する錘の重心から回転中心に対して略１８０°ずれた位置に設けられていることを特徴とする請求項２または８に記載の電動歯ブラシ。
【発明の詳細な説明】
【技術分野】
【０００１】
本発明は、電動歯ブラシに関するものである。
【背景技術】
【０００２】
従来、歯ブラシ本体の内部に振動源を設けて、ブラシまで振動を伝達させるように構成された電動歯ブラシが知られている（特許文献１，２参照）。このような電動歯ブラシにおいては、効率良くブラシを振動させるために、例えば、振動伝達効率を高めたり、共振を発生させたりする技術が用いられる。
【０００３】
しかしながら、これらの技術では、振動を伝達させるための機構が複雑化してしまったり、ブラシ部付近を小型化するのが難しかったりする傾向がある。そのため、振動源における振動を小さくしつつ、ブラシをより大きく振動させる技術が望まれている。
【特許文献１】実用新案登録番号第３００８８５６号公報
【特許文献２】特開平１０−１９２０５４号公報
【発明の開示】
【発明が解決しようとする課題】
【０００４】
本発明の目的は、振動源による小さな振動で、ブラシを大きく振動させることのできる電動歯ブラシを提供することにある。
【課題を解決するための手段】
【０００５】
本発明は、上記課題を解決するために以下の手段を採用した。
【０００６】
すなわち、本発明の電動歯ブラシは、
筒状のケースと、
一端がケースの内部に位置し、他端がケース先端の開口部からケース外部に突き出るように設けられ、該他端付近に位置するブラシを振動させる振動体と、
を備える電動歯ブラシであって、
前記振動体の前記一端側には振動源が設けられており、かつ該振動体は該振動体の長手方向の中心よりも振動源側に偏った位置で、その外周面が支持されており、該支持されている部分を中心として旋回運動を行うように構成されていることを特徴とする。
【０００７】
本発明によれば、一端側に振動源が設けられた振動体は、振動体の長手方向の中心よりも振動源側に偏った位置で、その外周面が支持されている。これにより、振動源の振動によって、振動体は支持されている位置を支点として振動する。そして、支点から振動源までの距離よりも、支点から他端までの距離の方が長いことから、振動源よりも他端の方が大きく振動する。すなわち、振動源による振動が増幅された状態で他端側に伝わる。
【０００８】
このように、本発明における振動体は、一端側に設けられた振動源の振動を、増幅させて他端（ブラシ付近）に伝えることができ、振動源による小さな振動で、ブラシを大きく振動させることができる。
【０００９】
前記振動源は、前記振動体の前記一端側に固定されたモータと、該モータの回転軸に取り付けられ、該回転軸の回転中心からずれた位置に重心を有する錘とから構成されるとよい。
【００１０】
これにより、振動体は、一端側が旋回運動を行うように振動する。
【００１１】
また、前記錘は、前記モータの前記一端側に取り付けられているとよい。
【００１２】
前記ケースの内部には、前記振動体の振動を許容しつつ該振動体の前記一端側への移動を規制する位置規制部が設けられているとよい。
【００１３】
これにより、振動体が一端側に移動してしまうことを防止できる。
【００１４】
前記ケースの内部には、前記振動源の振動がケースに伝わるのを抑制する振動減衰構造が設けられているとよい。
【００１５】
これにより、ケースに振動が伝わってしまうことを抑制できる。
【００１６】
軸本体、及びこの軸本体に固定され、重心が軸心からずれた位置に設けられた錘を有する偏心軸と、
該偏心軸を回転させる駆動源と、
を備えると共に、
前記振動体は、内部が中空の部材により構成され、かつ中空内部の前記他端側の先端付近に軸受が設けられており、前記偏心軸は該軸受により支持されているとよい。
【００１７】
これにより、振動体の他端側において、偏心軸により振動が発生するので、より一層振動体の他端側を振動させることができる。
【００１８】
前記偏心軸の錘の重心は、前記振動源を構成する錘の重心から回転中心に対して略１８０°ずれた位置に設けられているとよい。
【００１９】
これにより、振動体の他端側を効果的に振動させることができる。
【００２０】
なお、上記各構成は、可能な限り組み合わせて採用し得る。
【発明の効果】
【００２１】
以上説明したように、本発明によれば、振動源による小さな振動で、ブラシを大きく振動させることができる。
【発明を実施するための最良の形態】
【００２２】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。なお、以下の説明においては、電動歯ブラシの長手方向のうちブラシが設けられている側とは反対側（歯磨き時に手で握る側）を一端側と称し、ブラシが設けられている側を他端側と称する。
【００２３】
（実施例１）
図１〜図５を参照して、本発明の実施例１に係る電動歯ブラシについて説明する。図１は本発明の実施例１に係る電動歯ブラシの一部破断斜視図である。図２は図１の一部拡大図である。図３は本発明の実施例１に係る電動歯ブラシの内部構成図である。図４は本発明の実施例１に係る電動歯ブラシの主要構成部を示す模式的断面図である。図５は本発明の実施例１に係る電動歯ブラシにおける振動伝達の様子を説明する説明図である。
【００２４】
＜電動歯ブラシ全体＞
特に、図１〜図４を参照して、本発明の実施例１に係る電動歯ブラシ全体の構成等について説明する。本発明の実施例１に係る電動歯ブラシ１００は、歯磨き時に手で握る部分となる筒状のケース２０と、振動体３０と、振動体３０に対して装着されるブラシ部品４０とを備えている。振動体３０は、一端がケース２０の内部に位置し、他端がケース２０の先端の開口部２０ａからケース外部に突き出るように設けられている。
【００２５】
そして、ブラシ部品４０は、この振動体３０を覆うように装着される。このブラシ部品４０の本体部分４１は振動体３０に装着できるように筒状の部材によって構成されており、その先端にブラシ４２が設けられている。なお、このブラシ部品４０は消耗部品であり、適時、新品のものに交換することができるように、振動体３０に対して着脱自在に構成されている。
【００２６】
ケース２０の内部には、電源となる電池（充電池）５０と、後述する振動源１０の駆動制御を行う回路基板６０が設けられている。また、ケース２０の開口部２０ａの内周端には、振動体３０の外周面を支持する環状の支持部材２１が設けられている。なお、本実施例においては、振動体３０の外周に環状溝が形成されており、この環状溝に支持部材２１の内周端が嵌まり込んでいる。これにより、振動体３０は、支持部材２１によって支持されると共に位置決めされている。また、この支持部材２１は、振動体３０を支持すると共に、ケース２０の内部への水などの浸入を防止するシールとしての機能も発揮する。そのため、この支持部材２１の材料としては、支持機能と防水機能を両立させるために、適度な硬度を有する材料を用いる必要がある。そこで、本実施例においては、この支持部材２１の材料としてエラストマーを採用している。また、図３に示すように、電池５０と回路基板６０、及び回路基板６０と振動源１０を構成するモータ１１は配線Ｌによって電気的に接続されている。
【００２７】
振動体３０は、内部中空の筒状部材により構成されている。そして、この振動体３０は、一端側の円筒部３１と、この円筒部３１に一体的に設けられ、かつ他端側に向かうにつれて先細りするテーパ部３２とから構成されている。そして、振動体３０における一端側の円筒部３１には、振動源１０が設けられている。この振動源１０は、円筒部３１に挿入された状態で固定されるモータ１１と、モータ１１の回転軸に取り付けられる錘１２とから構成されている。ここで、錘１２は、モータ１１の回転軸の回転中心からずれた位置に重心を有するように構成されている。なお、本実施例においては、錘１２は、モータ１１の一端側に設けられている。
【００２８】
また、振動体３０は、ケース２０の内周面に固定された環状部材２２に接触しており、一端側に移動してしまわないように一端側への移動が規制されている。つまり、この環状部材２２は、位置規制部としての役割を担っている。そして、振動体３０と環状部材２２は接しているだけなので、振動体３０は、その長手方向の軸心と直交する面（旋回面）においては自由に運動可能であり、振動が許容される状態となる（図４参照。なお、図１〜図３においては、説明の便宜上、環状部材２２を省略している）。更に、振動体３０は、振動体３０の長手方向の中心よりも振動源１０側（一端側）に偏った位置で、上記の通り、その外周面が支持部材２１によって支持されている。
【００２９】
＜電動歯ブラシの動作説明＞
特に、図４及び図５を参照して、本発明の実施例１に係る電動歯ブラシ１００の動作について説明する。
【００３０】
電動歯ブラシ１００の電源をオンにすると、モータ１１の回転軸が回転し、この回転軸に取り付けられた錘１２が回転する。上記の通り、錘１２はモータ１１の回転軸の回転中心からずれた位置に重心を有する。したがって、錘１２の回転によって遠心力が生じるた
め、振動体３０は、一端側が旋回運動を行うように振動する。
【００３１】
図５は振動体３０が振動（旋回）する様子を模式的に示したものである。図５中矢印Ｐで示す部分は、図４中においても矢印Ｐで示すように、振動体３０の一端部分に相当する。そして、図５中のＸは、振動体３０が旋回運動を行っている際における振動体３０の中心軸の一端の旋回径を示している。また、図５中矢印Ｓで示す部分は、図４中においても矢印Ｓで示すように、振動体３０において、支持部材２１によって支持されている部分に相当する。更に、図５中矢印Ａで示す部分は、図４中においても矢印Ａで示すように、振動体３０の他端部分に相当する。そして、図５中のＹは、振動体３０が旋回運動を行っている際における振動体３０の中心軸の他端の旋回径を示している。
【００３２】
振動体３０における矢印Ｓで示す部分は、支持部材２１によって位置ずれが防止される。従って、この部分における中心軸の旋回径は理論上ゼロとなる。そして、振動体３０は、この支持部材２１によって支持されている部分Ｓを中心として、旋回運動を行う。旋回運動中は、中心軸の一端と他端は旋回中心軸に対して１８０度ずれた位置関係を維持する。そして、旋回径Ｙに対する旋回径Ｘの比は、振動体３０における支持された部分Ｓから他端部分Ａまでの距離Ｌ１に対する同部分Ｓから一端部分Ｐまでの距離Ｌ２の比と理論上等しい（Ｙ：Ｘ＝Ｌ１：Ｌ２）。
【００３３】
本実施例においては、上記の通り、振動体３０は、振動体３０の長手方向の中心よりも振動源１０側（一端側）に偏った位置で、その外周面が支持部材２１によって支持されている。従って、Ｌ１＞Ｌ２であることから、Ｙ＞Ｘとなる。
【００３４】
以上のように、振動体３０の一端側を振動源１０によって旋回（振動）させることによって、振動体３０の他端側を旋回（振動）させることができる。これにより、振動体３０に装着されたブラシ部品４０も振動する。特に、振動体３０のうち最も大きく旋回（振動）する他端付近に位置するブラシ４２を大きく振動させることができる。このように、振動源１０の振動をブラシ４２に伝えることができ、ブラシ４２を歯に当てることで歯を磨くことができる。
【００３５】
＜本実施例の優れた点＞
以上のように、本実施例に係る電動歯ブラシ１００によれば、一端側に振動源１０が設けられた振動体３０は、振動体３０の長手方向の中心よりも振動源１０側に偏った位置で、その外周面が支持部材２１によって支持されている。そのため、振動源１０の振動によって、振動体３０は支持部材２１によって支持されている位置を支点として振動（本実施例においては、旋回）する。そして、上記の通り、Ｌ１＞Ｌ２であることから、振動体３０の他端は振動源１０よりも大きく振動する。すなわち、振動源１０による振動が増幅された状態で他端側に伝わる。このように、本実施例に係る振動体３０によれば、その一端側に設けられた振動源１０の振動を、増幅させて他端（ブラシ４２付近）に伝えることができる。従って、振動源１０による小さな振動で、ブラシ４２を大きく振動させることができる。
【００３６】
また、本実施例に係る振動源１０においては、錘１２がモータ１１の一端側に設けられている。従って、振動体３０の開放端となる側に錘１２が配されるので、錘１２の取り付け状態を簡単に確認できる利点がある。また、振動の仕様を変更するような場合、振動体３０の組立完了後においても、錘１２の変更や調整を行うことができる。更に、取り付けた錘１２の種別を視認することもできる。なお、錘１２を羽根状にして、ケース２０の内部に気流を形成させるようにして、内部を冷却させるようにすることもできる。
【００３７】
（実施例２）
図６及び図７には、本発明の実施例２が示されている。上記実施例１では、錘がモータの一端側に設けられる場合を示したが、本実施例では錘がモータの他端側に設けられる場合について示す。その他の構成および作用については実施例１と同一なので、同一の構成部分については同一の符号を付して、その説明は省略する。
【００３８】
図６は本発明の実施例２に係る電動歯ブラシの一部破断斜視図である。図７は本発明の実施例２に係る電動歯ブラシの主要構成部を示す模式的断面図である。
【００３９】
本実施例に係る電動歯ブラシ１００ａおいても、振動源１０ａは、振動体３０における円筒部３１に挿入された状態で固定されるモータ１１ａと、モータ１１ａの回転軸に取り付けられる錘１２ａとから構成されている。本実施例においては、錘１２ａがモータ１１ａの他端側に設けられている点のみが、上記実施例１と異なっている。
【００４０】
本実施例に係る電動歯ブラシ１００ａにおいても、錘１２ａの回転により振動体３０の一端側が旋回運動を行い、上記実施例１の場合と同様の動作が行われる。従って、本実施例においても、上記実施例１の場合と同様の効果を得ることができる。
【００４１】
（実施例３）
図８及び図９には、本発明の実施例３が示されている。本実施例においては、上記実施例１における構成において、振動体と環状部材（位置規制部としての役割を担う部材）との間に、振動体の振動がケースに伝わるのを抑制する振動減衰体を付加した構成を示す。その他の構成および作用については実施例１と同一なので、同一の構成部分については同一の符号を付して、その説明は省略する。
【００４２】
図８及び図９は本発明の実施例３に係る電動歯ブラシの主要構成部を示す模式的断面図である。
【００４３】
実施例１で説明したように、ケース２０の内周面には、振動体３０の一端側への移動を規制するための環状部材２２が設けられている。この環状部材２２は、振動体３０の振動を許容しつつ、振動体３０の一端側への移動を規制するものである。この環状部材２２は、振動体３０の振動を許容するとはいっても、実施例１の場合のように、環状部材２２と振動体３０が直接接触する構造によって振動体３０の移動を規制する構成を採用した場合には、振動体３０の振動が環状部材２２に直接的に伝わってしまう。そのため、この環状部材２２を介してケース２０にも振動がかなり伝わってしまう。
【００４４】
歯磨き時に手で握る部分となるケース２０が振動すると、ユーザによっては不快を感じてしまうため、一般的にケース２０が振動するのは望ましくない。そこで、本実施例においては、環状部材２２と振動体３０との間に、振動体３０の振動がケース２０に伝わるのを抑制する振動減衰体を設ける構成を採用している。図８に示す例では、振動減衰体としてばね２３を採用した場合を示し、図９に示す例では、振動減衰体として振動エネルギー吸収材（例えばゲル状物質）２４を採用した場合を示している。なお、振動減衰体に関しては、これらに限らず、振動エネルギーを吸収できるものであれば良い。このように、本実施例においては、環状部材２２と振動体３０との間に振動減衰体を設けることで、振動体３０の振動がケース２０に伝わるのを抑制する振動減衰構造をなしている。
【００４５】
以上のように、本実施例の場合には、上記実施例１の場合における効果に加えて、ケース２０の振動を抑制できる効果がある。なお、本実施例においては、振動減衰体が振動体３０における円筒部３１に接するように設けられることで、振動源１０の振動がケース２０に伝わることを抑制する構成を示した。しかしながら、振動減衰体が振動源１０（モータ１１）に直接接するように設けられることで、振動源１０の振動がケース２０に伝わる
ことを抑制する構成を採用することもできる。
【００４６】
（実施例４）
図１０には、本発明の実施例４が示されている。上記実施例３では、環状部材と振動体との間に振動減衰体を設けることで振動減衰構造を構成する場合を示したが、本実施例では、環状部材が振動減衰機能を有することで振動減衰構造を構成する場合を示す。その他の構成および作用については実施例１及び実施例３と同一なので、同一の構成部分については同一の符号を付して、その説明は省略する。
【００４７】
図１０は本発明の実施例４に係る電動歯ブラシの主要構成部を示す模式的断面図である。図示のように、本実施例においては、環状部材２２ａは、他端側に向かって突出する複数の円錐状突起２２ｂを有しており、これらの円錐状突起２２ｂの先端が振動体３０に接するように構成されている。なお、これらの円錐状突起２２ｂは、周方向に一定の間隔で設けられている。また、本実施例に係る環状部材２２ａは、硬質のエラストマー材から構成されており、環状部材２２ａ自体によって、振動を減衰させる機能を有している。このように、本実施例においては、環状部材２２ａ自体が振動を減衰させる機能を有することで、振動体３０の振動がケース２０に伝わるのを抑制する振動減衰構造をなしている。
【００４８】
以上のように、本実施例の場合においても、上記実施例１の場合における効果に加えて、実施例３の場合と同様に、ケース２０の振動を抑制できる効果がある。なお、本実施例においては、環状部材２２ａの円錐状突起２２ｂが振動体３０における円筒部３１に接するように設けられることで、振動源１０の振動がケース２０に伝わることを抑制する構成を示した。しかしながら、環状部材２２ａにおける円錐状突起２２ｂが振動源１０（モータ１１）に直接接するように設けられることで、振動源１０の振動がケース２０に伝わることを抑制する構成を採用することもできる。また、本実施例では、複数の円錐状突起２２ｂが周方向に一定の間隔で設けられる構成を示した。しかしながら、要は振動源１０の振動が環状部材に伝わり難くすれば良く、環状部材の振動体３０または振動源１０に対する接触面積を小さくすればよい。例えば、環状部材が、他端側に向かって突出する（先端の尖った）環状突起（環状部材と同心的に全周に亘って設けられる環状の突起）を有する構成とし、この環状突起の先端を振動体３０または振動源１０に接する構成を採用することも好適である。
【００４９】
（実施例５）
図１１〜図１３には、本発明の実施例５が示されている。本実施例においては、上記実施例１における構成において、振動体の他端部を直接的に振動させる偏心軸を付加した構成を示す。その他の構成および作用については実施例１と同一なので、同一の構成部分については同一の符号を付して、その説明は省略する。
【００５０】
図１１は本発明の実施例５に係る電動歯ブラシの内部構成図である。図１２は本発明の実施例５に係る電動歯ブラシの主要構成部を示す模式的断面図である。図１３は本発明の実施例５に係る電動歯ブラシにおける振動伝達の様子を説明する説明図である。
【００５１】
本実施例に係る電動歯ブラシ２００においても、上記実施例１の場合と同様に、振動体２３０は円筒部２３１とテーパ部２３２とから構成され、振動体２３０の一端側の円筒部２３１に、モータ２１１と錘２１２とからなる振動源２１０が設けられている。
【００５２】
そして、本実施例においては、偏心軸２５０が備えられている。この偏心軸２５０は、モータ２１１により回転するように構成されている。つまり、本実施例においては、振動源２１０を構成するモータ２１１が、偏心軸２５０を回転させる駆動源としての役割も担っている。なお、偏心軸２５０は、軸本体２５１と、この軸本体２５１に固定され、重心
が軸心からずれた位置に設けられた錘２５２とを備えている。ここで、この錘２５２の重心は、振動源２１０を構成する錘２１２の重心から回転中心に対して設計上１８０°ずれた位置に設けられるように構成されている。
【００５３】
また、本実施例においては、振動体２３０における内部中空のテーパ部２３２の他端側の先端付近に軸受２３３が設けられている。偏心軸２５０は、一端側がモータ２１１に固定され、他端側が、この軸受２３３によって支持されている。
【００５４】
本実施例に係る電動歯ブラシ２００の電源をオンにすると、振動源２１０の振動による動作に関しては、上記実施例１の場合と同様の動作がなされる。そして、本実施例の場合には、電源をオンにすると、偏心軸２５０も回転する。上記の通り、偏心軸２５０には、その重心が軸心からずれた位置に設けられた錘２５２が設けられている。そのため、仮に、偏心軸２５０の先端を軸受２３３によって支持させていない状態で偏心軸２５０を回転させると、偏心軸２５０は、偏心軸２５０自体が回転しながら、軸心の回りを旋回するように運動する。これにより、軸受２３３によって偏心軸２５０を支持させた状態で偏心軸２５０を回転させると、偏心軸２５０の先端付近の外壁面が軸受２３３の内壁面に対して短時間に多数回の衝突を繰り返すような動作を行わせることができる。
【００５５】
このような動作を行わせることで、軸受２３３を介して、軸受２３３が設けられた振動体２３０の他端部付近を直接的に振動させることができる。そして、この振動体２３０を振動させることにより、その振動をブラシ部品４０に伝えることができる。
【００５６】
以上のように、本実施例によれば、振動源２１０の振動を、振動体２３０の他端（ブラシ４２付近）に増幅させて伝えることができ、かつ、偏心軸２５０によって、振動体２３０の他端付近を直接的に振動させることができる。なお、図１３中のＺは、偏心軸２５０によって振動体２３０を直接的に振動させる様子を模式的に示したものである。従って、本実施例に係る電動歯ブラシ２００によれば、上記各実施例に比べて、より一層、振動体２３０の他端側を振動させることができる。また、本実施例においては、錘２５２の重心は、振動源２１０を構成する錘２１２の重心から回転中心に対して設計上１８０°ずれた位置に設けられている。従って、振動源２１０による振動、及び偏心軸２５０による振動が減衰されてしまうことなく、振動体２３０の他端側を効果的に振動させることができる。
【００５７】
（実施例６）
図１４には、本発明の実施例６が示されている。上記実施例５では、錘がモータの一端側に設けられる場合を示したが、本実施例では錘がモータの他端側に設けられる場合について示す。その他の構成および作用については実施例５と同一なので、同一の構成部分については同一の符号を付して、その説明は省略する。
【００５８】
図１４は本発明の実施例６に係る電動歯ブラシの主要構成部を示す模式的断面図である。
【００５９】
本実施例においても、振動源２１０ａは、振動体２３０における円筒部２３１に挿入された状態で固定されるモータ２１１ａと、モータ２１１ａの回転軸に取り付けられる錘２１２ａとから構成されている。本実施例においては、錘２１２ａがモータ２１１ａの他端側に設けられている点のみが、上記実施例５と異なっている。なお、偏心軸２５０の錘２５２の重心が、振動源２１０ａを構成する錘２１２ａの重心から回転中心に対して設計上１８０°ずれた位置に設けられている点についても、上記実施例１と同様である。
【００６０】
以上の構成により、本実施例においても、上記実施例５の場合と同様の効果を得ること
ができることは言うまでもない。
【００６１】
（実施例７）
図１５及び図１６には、本発明の実施例７が示されている。本実施例においては、上記実施例５における構成において、振動体と環状部材（位置規制部としての役割を担う部材）との間に、振動体の振動がケースに伝わるのを抑制する振動減衰体を付加した構成を示す。その他の構成および作用については実施例５と同一なので、同一の構成部分については同一の符号を付して、その説明は省略する。
【００６２】
図１５及び図１６は本発明の実施例７に係る電動歯ブラシの主要構成部を示す模式的断面図である。
【００６３】
本実施例においては、実施例３の場合と同様に、環状部材２２と振動体２３０との間に、振動体２３０の振動がケース２０に伝わるのを抑制する振動減衰体を設ける構成を採用している。図１５に示す例では、振動減衰体としてばね２３を採用した場合を示し、図１６に示す例では、振動減衰体として振動エネルギー吸収材（例えばゲル状物質）２４を採用した場合を示している。なお、振動減衰体に関しては、これらに限らず、振動エネルギーを吸収できるものであれば良い。
【００６４】
以上のように、本実施例の場合には、上記実施例５の場合における効果に加えて、ケース２０の振動を抑制できる効果がある。なお、本実施例においては、振動減衰体が振動体２３０における円筒部２３１に接するように設けられることで、振動源２１０の振動がケース２０に伝わることを抑制する構成を示した。しかしながら、振動減衰体が振動源２１０（モータ２１１）に直接接するように設けられることで、振動源２１０の振動がケース２０に伝わることを抑制する構成を採用することもできる。また、上述した実施例４に示すように、環状部材部材自体に振動を減衰させる機能を持たせることによって、振動を抑制する構成を採用することもできる。
【図面の簡単な説明】
【００６５】
【図１】図１は本発明の実施例１に係る電動歯ブラシの一部破断斜視図である。
【図２】図２は図１の一部拡大図である。
【図３】図３は本発明の実施例１に係る電動歯ブラシの内部構成図である。
【図４】図４は本発明の実施例１に係る電動歯ブラシの主要構成部を示す模式的断面図である。
【図５】図５は本発明の実施例１に係る電動歯ブラシにおける振動伝達の様子を説明する説明図である。
【図６】図６は本発明の実施例２に係る電動歯ブラシの一部破断斜視図である。
【図７】図７は本発明の実施例２に係る電動歯ブラシの主要構成部を示す模式的断面図である。
【図８】図８は本発明の実施例３に係る電動歯ブラシの主要構成部を示す模式的断面図である。
【図９】図９は本発明の実施例３に係る電動歯ブラシの主要構成部を示す模式的断面図である。
【図１０】図１０は本発明の実施例４に係る電動歯ブラシの主要構成部を示す模式的断面図である。
【図１１】図１１は本発明の実施例５に係る電動歯ブラシの内部構成図である。
【図１２】図１２は本発明の実施例５に係る電動歯ブラシの主要構成部を示す模式的断面図である。
【図１３】図１３は本発明の実施例５に係る電動歯ブラシにおける振動伝達の様子を説明する説明図である。
【図１４】図１４は本発明の実施例６に係る電動歯ブラシの主要構成部を示す模式的断面図である。
【図１５】図１５は本発明の実施例７に係る電動歯ブラシの主要構成部を示す模式的断面図である。
【図１６】図１６は本発明の実施例７に係る電動歯ブラシの主要構成部を示す模式的断面図である。
【符号の説明】
【００６６】
１０，１０ａ  振動源
１１，１１ａ  モータ
１２，１２ａ  錘
２０  ケース
２０ａ  開口部
２１  支持部材
２２，２２ａ  環状部材
２２ｂ  円錐状突起
２３  ばね
２４  振動エネルギー吸収材
３０  振動体
３１  円筒部
３２  テーパ部
４０  ブラシ部品
４１  本体部分
４２  ブラシ
５０  電池
６０  回路基板
１００，１００ａ  電動歯ブラシ
２００  電動歯ブラシ
２１０，２１０ａ  振動源
２１１，２１１ａ  モータ
２１２，２１２ａ  錘
２３０  振動体
２３１  円筒部
２３２  テーパ部
２３３  軸受
２５０  偏心軸
２５１  軸本体
２５２  錘
Ｌ  配線
【図１】
0005266870.tif 000002
【図２】
0005266870.tif 000003
【図３】
0005266870.tif 000004
【図４】
0005266870.tif 000005
【図５】
0005266870.tif 000006
【図６】
0005266870.tif 000007
【図７】
0005266870.tif 000008
【図８】
0005266870.tif 000009
【図９】
0005266870.tif 000010
【図１０】
0005266870.tif 000011
【図１１】
0005266870.tif 000012
【図１２】
0005266870.tif 000013
【図１３】
0005266870.tif 000014
【図１４】
0005266870.tif 000015
【図１５】
0005266870.tif 000016
【図１６】
0005266870.tif 000017